(57)【要約】【課題】高齢者や幼児であっても容易に着用させることができるとともに、必要に応じて釦の掛け合わせを行なうことができ、さらに釦の掛け違いを防止することができる衣服を提供する。【解決手段】衣服の開閉部分の重ねられる対の縁１４、１６それぞれに沿って整列されて設けられた複数対の釦１８、２０と、前記複数対の釦１８、２０のうち、少なくとも一対の釦１８、２０に隣接して設けられた対の面ファスナー２２、２４と、を備えたことを特徴とする衣服であり、前記対の面ファスナーは、整列された各対の釦の間に設けられているか、又は対の釦に対して、その整列方向と垂直な方向に隣接して設けられていることが好ましい。【選択図】図１
0003122021.tif 000002
【実用新案登録請求の範囲】
【請求項１】
衣服の開閉部分の重ねられる対の縁それぞれに沿って整列されて設けられた複数対の釦と、
前記複数対の釦のうち、少なくとも一対の釦に隣接して設けられた対の面ファスナーと、を備えたことを特徴とする衣服。
【請求項２】
前記対の面ファスナーは、整列された各対の釦の間に設けられていることを特徴とする請求項１記載の衣服。
【請求項３】
前記対の面ファスナーは、対の釦に対して、その整列方向と垂直な方向に隣接して設けられていることを特徴とする請求項１記載の衣服。
【請求項４】
衣服の開閉部分の重ねられる対の縁それぞれに沿って整列されて設けられた複数対の面ファスナーと、
前記複数対の面ファスナーのうち、少なくとも一対の面ファスナーに隣接して設けられた対の釦と、を備えたことを特徴とする衣服。
【請求項５】
前記対の釦は、整列された各対の面ファスナーの間に設けられていることを特徴とする請求項４記載の衣服。
【請求項６】
前記対の釦は、対の面ファスナーに対して、その整列方向と垂直な方向に隣接して設けられていることを特徴とする請求項４記載の衣服。
【考案の詳細な説明】
【技術分野】
【０００１】
本発明は、高齢者や幼児であっても釦の掛け違いを防止することができる衣服に関する。
【背景技術】
【０００２】
従来の高齢者や幼児であっても容易に着用させることができる衣服として、例えば、図３に示すように衣服の表身頃の開閉部分の縁３０、３２に沿って複数対の面ファスナー３４、３６（ベロクロファスナー（登録商標））が、整列されて設けられているものがある（特許文献１）この衣服は、対の面ファスナーを合わせるだけで、開閉部分を閉じることができ、所定の力で引っ張ることによって開閉部分を開くことができるので、高齢者や幼児であっても容易に着用させることができる。
【０００３】
【特許文献１】特開２０００−３４５４０１号公報
【考案の開示】
【考案が解決しようとする課題】
【０００４】
しかしながら、このような面ファスナーに慣れてしまうと、高齢者などは、釦の掛け合わせを行なうのが面倒になり、釦を掛け合わせる必要がある衣服を着用しなくなるという問題がある。一方、通常の釦によって開閉部分を閉じる衣服は、高齢者などは、釦を掛け違えるという問題がある。
【０００５】
そこで、本考案は、高齢者や幼児であっても容易に着用させることができるとともに、必要に応じて釦の掛け合わせを行なうことができ、さらに釦の掛け違いを防止することができる衣服を提供することを目的とする。
【課題を解決するための手段】
【０００６】
以上の目的を達成するため、本考案は、衣服の開閉部分の重ねられる対の縁それぞれに沿って整列されて設けられた複数対の釦と、前記複数対の釦のうち、少なくとも一対の釦に隣接して設けられた対の面ファスナーと、を備えたことを特徴とする衣服であり、前記対の面ファスナーは、整列された各対の釦の間に設けられているか、又は対の釦に対して、その整列方向と垂直な方向に隣接して設けられていることが好ましい。
【０００７】
また、本考案は、衣服の開閉部分の重ねられる対の縁それぞれに沿って整列されて設けられた複数対の面ファスナーと、前記複数対の面ファスナーのうち、少なくとも一対の面ファスナーに隣接して設けられた対の釦と、を備えたことを特徴とする衣服であり、前記対の釦は、整列された各対の面ファスナーの間に設けられているか、又は前記対の釦は、対の面ファスナーに対して、その整列方向と垂直な方向に隣接して設けられていることが好ましい。
【０００８】
本考案に係る衣服において、一対の釦とは、雄釦と雌釦や釦と釦穴などの組み合わせをいう。
【考案の効果】
【０００９】
以上のように、本考案に係る衣服によれば、面ファスナーだけでなく、釦も設けられているので、高齢者や幼児であっても容易に着用させることができるとともに、必要に応じて釦の掛け合わせを行なうことができ、さらに釦の掛け違いを防止することができる衣服を提供することができる。
【考案を実施するための最良の形態】
【００１０】
次に、本考案に係る衣服の第１実施例について図面に基づいて説明する。図１は、第１実施例に係る衣服の正面図である。第１実施例に係る衣服１０は、表身頃１２の幅方向中心が縦方向に沿って開閉することによって、開閉部を形成しており、この開閉部の縁１４、１６が重なるように構成されている。裏側に位置する開閉部の縁１４には、それに沿って釦１８が複数整列されて設けられており、表側に位置する開閉部の縁１６の各釦１８に整合する位置には、釦穴２０が形成されている。また、第１実施例に係る衣服においては、これら釦１８の整列方向の下方に隣接して、雄型面ファスナー２２が設けられており、表側に位置する開閉部の縁１６の各雄型面ファスナー２２に整合する位置には、雌型面ファスナー２４が設けられている。
【００１１】
第１実施例に係る衣服は、このように構成することにより、雄型面ファスナー２２とそれに整合する雌型面ファスナー２４をそれぞれ合わせることにより、開閉部分を閉じることができるので、高齢者や幼児であっても容易に着用することができ、また必要に応じて、釦１８を釦穴２０に掛け合わせることによって、高齢者の釦掛ける作業の継続や幼児の釦掛けの練習を行なうことができる。さらに、雄型面ファスナー２２とそれに整合する雌型面ファスナー２４をそれぞれ合わせた後に、釦の掛け合わせを行なうので、釦の掛け違いが生じるのを可及的に防止することができる。
【００１２】
図２に本考案に係る衣服の第２実施例の正面図を示す。第２実施例に係る衣服は、雄型面ファスナー２２及び雌型面ファスナー２４が、釦１８及び釦穴２０の整列方向と垂直な方向の左側に隣接して設けられている点で、第１実施例と異なる。
【００１３】
上記実施例においては、全ての面ファスナー２２、２４それぞれに対して、釦１８及び釦穴２０を隣接させる例を示したが、本考案は、これに限定されず、例えば、複数の面ファスナー２２、２４の一部に対して、釦１８及び釦穴２０を隣接させても良く、逆に複数の釦１８及び釦穴２０の一部に対して、面ファスナー２２、２４を隣接させても良い。
【図面の簡単な説明】
【００１４】
【図１】本考案に係る衣服の第１実施例の正面図である。
【図２】本考案に係る衣服の第２実施例の正面図である。
【図３】従来の衣服の拡大正面図である。
【符号の説明】
【００１５】
１４、１６  開閉部分の縁
１８        釦
２０        釦穴
２２        雄型面ファスナー
２４        雌型面ファスナー
【図１】
0003122021.tif 000003
【図２】
0003122021.tif 000004
【図３】
0003122021.tif 000005